(57)【要約】【課題】コンパクト化、安全性、使い勝手のよさ等を改善した要介護者用の排泄物処理装置を提供することを目的とする。【解決手段】台車１１６は、細幅で、この台車１１６の上に一方側から他方側に、前記台車１１６と同一かやや細幅の排便分離ユニット１１１の排便タンク１１８とサクションユニット１１３のサクションモータ１５４と温水ユニット１１５の保温タンク１７３を順次配置し、前記排便タンク１１８の上に、排便から空気を分離する水分除去カバー１２０を重ね、前記サクションモータ１５４の上に、消臭ユニット１１２のフィルタ容器１４４を載せ、前記保温タンク１７３の上に、洗浄水補給タンク１７５を重ね、前記台車１１６の内部に冷却ユニット１１４を取り付けて構成する。【選択図】図１
2017070400.tif 000002
【特許請求の範囲】
【請求項１】
台車１１６は、細幅で、この台車１１６の上に一方側から他方側に、前記台車１１６と同一かやや細幅の排便分離ユニット１１１の排便タンク１１８とサクションユニット１１３のサクションモータ１５４と温水ユニット１１５の保温タンク１７３を順次配置し、前記排便タンク１１８の上に、排便から空気を分離する水分除去カバー１２０を重ね、前記サクションモータ１５４の上に、消臭ユニット１１２のフィルタ容器１４４を載せ、前記保温タンク１７３の上に、洗浄水補給タンク１７５を重ね、前記台車１１６の内部に冷却ユニット１１４を取り付けたことを特徴とする排泄物処理装置。
【請求項２】
台車１１６は、縦幅×横幅が１５〜３０ｃｍ×７０〜９０ｃｍとし、装置全体の大きさは、高さ×縦幅×横幅が凡そ５０〜７０×１５〜３０×７０〜９０ｃｍ程度としたことを特徴とする請求項１記載の排泄物処理装置。
【請求項３】
おむつカップ１１０内に洗浄水を送る温水ユニット１１５と、前記おむつカップ１１０から排便と洗浄水を吸引するサクションユニット１１３と、吸引した排便と洗浄水から空気だけを分離して取り出す排便分離ユニット１１１と、この排便分離ユニット１１１で分離された空気を消臭する消臭ユニット１１２と、この消臭ユニット１１２で消臭された空気を冷却する冷却ユニット１１４とを具備し、前記排便分離ユニット１１１は、吸引した排便と洗浄水を貯留する排便タンク１１８の上に、吸引した排便と洗浄水から水分を除去して空気だけを分離する水分除去カバー１２０を重ね合わせて設けたことを特徴とする請求項１記載の排泄物処理装置。
【請求項４】
消臭ユニット１１２は、フィルタ交換蓋１４５を有するフィルタ容器１４４に消臭フィルタ１４６を収納し、このフィルタ容器１４４の空気入り口１４８に、排便分離ユニット１１１からの空気の吸引力で開放し、吸引していないときに閉鎖する逆止弁１４７を設け、前記フィルタ容器１４４の内部に殺菌用の紫外線発光器１５１と、フィルタ容器１４４の負圧を検出する負圧センサ１５０を設けたことを特徴とする請求項１記載の排泄物処理装置。
【請求項５】
サクションユニット１１３は、その上部に吸引フィン部１５５が一体に設けられて外装箱１５３内に収納され、前記サクションモータ１５４は、冷却風を案内する役目を兼用した縦方向にクッション性を有するクッション導風筒１６４に載せられ、前記吸引フィン部１５５の下端周縁部は、外装箱１５３の段差１６２に、クッション１６３を介在して載せられ、前記吸引フィン部１５５の外周縁部には、送風路１５７を有する送風カバー１５８が嵌合され、この送風路１５７は、下座１５９と上カバー１６０が嵌め込まれ、それぞれ金属などの締結バンド１６１で締め付け固定され、この上カバー１６０の中央上部には、吸引口１５６が嵌合され、前記送風路１５７は、下向きの直結管１７２を経て台車１１６内のラジエータ１６９に連結されていることを特徴とする請求項１記載の排泄物処理装置。
【請求項６】
保温タンク１７３は、洗浄水補給タンク１７５の真下に配置し、前記保温タンク１７３と一体の外箱１７４に洗浄水補給タンク１７５を載せると、突起部１７７でバルブ１８０を開き、水は、満水になると、バルブ付きキャップ１７９の下端面が保温タンク１７３内の水で閉じられ、前記保温タンク１７３内の水がなくなるとバルブ１８０が開いて自重で落下補給され、前記洗浄水補給タンク１７５内の水がなくなると、保温タンク１７３内の水位の低下をレベルセンサ１８４で検知して表示部２０７やブザー２１５で知らせるようにしたことを特徴とする請求項１記載の排泄物処理装置。
【請求項７】
本体側外装箱２０１は、台車１１６に固定的に取り付け、排便タンク用外装箱１９９は、台車１１６に着脱自在に取り付け、本体側外装箱２０１側の制御盤２０３から供給される電力は、アイソレータ２１１を介在してワイヤレスで結合し、制御盤２０３からおむつカップ１１０に直接電力が流れるのを防止して安全性を高めたことを特徴とする請求項１記載の排泄物処理装置。
【請求項８】
おむつカップ１１０と排泄物処理装置の間を流れる仕事風は、サクションユニット１１３から吐出時に設定値を超えないように、ラジエータ１６９に冷却ファン１７０を取り付け、冷却ファン１７０からの外気を導入して冷却することを特徴とする請求項１記載の排泄物処理装置。
【請求項９】
おむつカップ１１０から殺菌フィルタ１９３とジョイントボックス１９２とラジエータ１６９と吸引フィン部１５５とフィルタ容器１４４を経て形成される微風流路には、微風ポンプ１５２を設け、この微風ポンプ１５２は、より吸引圧を高くできるものを用いることにより、効率よく吸引し、大気に放出するようにしたことを特徴とする請求項１記載の排泄物処理装置。
【発明の詳細な説明】
【技術分野】
【０００１】
本発明は、コンパクト化、安全性、使い勝手のよさ等を改善した要介護者用の排泄物処理装置に関するものである。
【背景技術】
【０００２】
本発明者等は、すでにこの種の排泄物処理装置を出願した（特許文献１）。
特許文献１に記載の排泄物処理装置は、図１１及び図１２に示すように、機器収納ボックス１２には、汚水タンクユニット２２と浄化処理ユニット２３と吸引モータユニット２４と給水ユニット２５とリターンボックスユニット２７を具備し、おむつカップ本体１０と機器収納ボックス１２をホースユニット１１で連結し、前記給水ユニット２５の送水ポンプ３９から送られた洗浄水をおむつカップ本体１０内に噴射し、このおむつカップ本体１０で泌尿器と排泄物を洗浄し、汚物を前記吸引モータユニット２４の吸引モータ３１の仕事風にて吸引し、前記汚水タンクユニット２２で汚物から排泄物と洗浄水を分離収納して前記仕事風のみを浄化処理ユニット２３で浄化処理し、吸引モータ３１とリターンボックスユニット２７を経て前記おむつカップ本体１０へ吸引循環管５０で戻して循環する排泄物処理装置において、おむつカップ本体１０に排泄物受け凹部７７を設け、この排泄物受け凹部７７に大便センサ１３と小便センサ１４を設け、前記大便センサ１３は、便落下部に設けられ、便の硬度が高い信号ほど大きな吸引力設定で排泄物吸引を行うように制御盤ユニット５６で制御するための便の硬度を検知するセンサからなり、前記小便センサ１４は、小便の有無を判定し、その信号の程度に応じて排泄物吸引に必要な吸引力を算出するように制御盤ユニット５６で制御するための２点の接点を持ち、その間の抵抗を測定するセンサからなる。
【０００３】
図１１及び図１２において、１０…おむつカップ本体、１１…ホースユニット、１２…機器収納ボックス、１３…大便センサ、１４…小便センサ、１５…汚物吸引ホース、１６…微風ホース、１７…微風ホース、１８…リターンエアホース、１９…一部排出ホース、２０…洗浄水ホース、２１…微風排出ホース、２２…汚水タンクユニット、２３…浄化処理ユニット、２４…吸引モータユニット、２５…給水ユニット、２６…リターンエア冷却器、２７…リターンボックスユニット、２８…ミスト除去フィルタ、２９…消臭フィルタ、３０…殺菌フィルタ、３１…吸引モータ、３２…冷却ファン、３３…フィルタ、３４…冷却風取り入れ口、３５…冷却風排出口、３６…洗浄水タンク、３７…補助タンク、３８…温水タンク、３９…送水ポンプ、４０…安全タンク、４１…水位センサ、４２…水位センサ、４３…温度センサ、４４…ヒータ、４５…温度センサ、４６…バルブ、４７…水抜き管、４８…微風モータ、４９…温度センサ、５０…吸引循環管、５１…微風循環管、５２…負圧センサ、５３…ドレイン、５４…おむつ、５５…冷却ユニット、５６…制御盤ユニット、５７…バイメタル、５８…水位センサ、５９…貫通孔、６０…貫通孔、６１…冷却ボックス、６２…仕切り板、６３…ホースコネクタ、６４…ホースコネクタ、６５…蓋体、６６…取手、６７…差し込み口、６８…セット台部、６９…係止部、７０…キャスタ、７２…前板部、７３…蓋部、７４…汚物排出口、７７…排泄物受け凹部である。
【０００４】
次に前記特許文献１に記載の排泄物処理装置の種々の処理モードによる運転を図１３以下の図面に基づき説明する。
1.自動処理モード遷移（図１３）
Ａ−１：入力装置８２により制御盤ユニット５６にスタート信号を送る。
Ａ−２：機器収納ボックス１２内の温水、温風その他の温度やタンクの水位などが設定値に達するまで待機し、処理運転許可信号が送られるとＹＥＳとなって、Ａ−３に移行する。
Ａ−３：大便センサ１３がオンであれば、Ａ−９でカウンタ８３を０に戻し、Ｄ−１に移行し、オフであればＡ−４に移行する。
Ａ−４：小便センサ１４がオンであれば、Ａ−５に移行し、オフであれば、Ａ−１０に移行する。
Ａ−５：カウンタ８３は所定時間（例えば１秒）毎に計数する。
Ａ−６：カウンタ８３がＮ１＝４を計数すると、Ｃ−１に移行し、４未満であればＡ−７に移行する。
Ａ−７：カウンタ８３が４を計数するとＡ−８でカウンタ８３を０に戻し、Ｃ−１に移行し、４未満であればＢ−１に移行する。
Ａ−１０：前記Ａ−４にて小便センサ１４がオフであれば、Ａ−１０に移行し、このＡ−１０にて臭いセンサ８０がオフであれば、Ａ−３に戻り、オンであれば、Ｆ−１に移行する。
Ｆ−１：吸引モード処理運転を開始し、吸引モータ３１が駆動し、おむつカップ本体１０から臭いを吸引し、浄化処理ユニット２３の消臭フィルタ２９で消臭した空気を循環する。
【０００５】
２．頻尿モード処理運転（図１４）
Ｂ−１：頻尿モード処理運転を開始する。
Ｂ−２：吸引モータ３１をオンして吸引を開始し、Ｂ−３に移行する。
Ｂ−３：大便センサ１３がオンであれば、Ｄ−１に移行し、オフであれば、Ｂ−４に移行する。
Ｂ−４：吸引モータ３１は吸引時間Ｔ１が設定時間（例えば２０秒）の間吸引を継続し、経過すると、Ｂ−５に移行する。
Ｂ−５：吸引モータ３１の吸引を停止し、頻尿モード処理運転を停止する。
なお、頻尿運転は、下記の条件が１個でも当てはまるときに行われる。
（１）前回の小運転モードから所定時間Ｔ１１（例えば６０分）以内で小便センサ１４を検出したとき。
（２）頻尿運転モード運転連続回数が設定回数Ｎ１（例えば４回）未満の時。
備考
（１）手動運転時は頻尿運転なし。
（２）ストップからスタート直後は通常の小、大運転モードになる。
（３）頻尿運転回数が設定回数Ｎ１（例えば４回）を超えたとき、小運転モードになる。
頻尿モード解除条件
（１）停止モードになったとき。
（２）大モードで運転したとき。
（３）運転終了後、連続小便センサ１４がオンしていたとき。
【０００６】
小モード処理運転（図１５）
Ｃ−１：小モード処理運転を開始する。
Ｃ−２：吸引モータ３１で吸引を開始する。
Ｃ−３：Ｔ１時間（例えば２秒）だけ温水タンク３８の安全タンク４０を満たす程度に送水ポンプ３９を駆動する。
Ｃ−４：温度センサ４３によりＴ２時間（例えば２秒）で洗浄水温度を判定する。
Ｃ−５：初回だけ送水ポンプ３９をＴ３時間（例えば３秒）駆動する。送水ポンプ３９とおむつカップ本体１０までの洗浄水ホース２０の中に水がないので、初回だけやや長めに駆動する。
Ｃ−６：洗浄回数を計数し、＋１を加算する。このＣ−５とＣ−６工程は、初回洗浄の有無を選択できるようにし、初回洗浄の無を選択したときは、実行されないようにすることができる。
Ｃ−７：Ｔ４時間（例えば２７秒）だけ送水ポンプ３９の駆動待ちをする。
Ｃ−８：Ｔ４時間（例えば２７秒）の経過後、Ｔ５時間（例えば２秒）だけ送水ポンプ３９を駆動する。
Ｃ−９：洗浄回数を計数し、＋１を加算する。
Ｃ−１０：小便センサ１４がオンした後、大便センサ１３がオンしたらＤ−１モードに移行する。大便センサ１３がオフであったら洗浄回数Ｎ１＝２かどうかを判定し、２に満たない場合は、Ｃ−７に戻って待機し、Ｎ１＝２になったらＣ−１２に移行する。
Ｃ−１１：洗浄水圧が下がるまでＴ６時間（例えば２秒）だけ水抜き時間待ちをする。
Ｃ−３：水抜き時間の経過後、Ｔ７時間（例えば２５秒）だけバルブ４６を開いて水抜き管４７からおむつカップ本体１０までの洗浄水を排出する。
Ｃ−１４：Ｔ８時間（例えば５秒）だけ送風して終了待ちをする。
Ｃ−１５：Ｔ８後、吸引モータ３１をオフし、運転を終了する。
【０００７】
大モード処理運転（図１６）
Ｄ−１：大モード処理運転を開始する。
Ｄ−２：吸引モータ３１で吸引を開始する。
Ｄ−３：Ｔ１時間（例えば２秒）だけ温水タンク３８の安全タンク４０を満たす程度に送水ポンプ３９を駆動する。
Ｄ−４：温度センサ４３によりＴ２時間（例えば２秒）で洗浄水温度を判定する。
Ｄ−５：Ｔ３時間（例えば４秒）だけ初回の送水ポンプ３９を駆動する。
Ｄ−６：洗浄回数を計数し、＋１を加算する。
Ｃ−７：Ｔ４時間（例えば２６秒）だけ送水ポンプ３９の駆動待ちをする。
Ｄ−８：Ｔ４時間（例えば２６秒）の経過後、Ｔ５時間（例えば４秒）だけ送水ポンプ３９を駆動する。
Ｄ−９：洗浄回数を計数し、＋１を加算する。
Ｄ−１０：水位センサ４２により温水タンク３８の水位不足を検出し、不足（オン）であれば、Ｄ−１１に移行し、不足していなければ（オフであれば）Ｄ−１３に移行する。
Ｄ−１１：残り洗浄回数ＮがＮ＞２であれば、Ｄ−１２に移行する。Ｎ≦２であれば、洗浄回数が少ないので、さらに洗浄回数を増やすためにＤ−１３に移行する。
Ｄ−１２：洗浄回数Ｎ＞２であれば、すでに３回以上洗浄しているので、温水タンク３８が水位不足であることから、洗浄回数の上限を２回に減らし、Ｄ−１３に移行する。
Ｄ−１３：温水タンク３８の水位が不足していないときには、洗浄回数Ｎ１＝４かどうかを判断し、４未満であれば、Ｄ−７に戻って繰り返し、Ｎ１＝４になるとＤ−１４に移行する。また、温水タンク３８が水位不足しているときには、Ｄ−１２からの指令により、洗浄回数が２回であってもＤ−１４に移行する
Ｄ−１４：洗浄水圧が下がるまでＴ６時間（例えば２秒）の水抜き時間待ちをする。
Ｄ−１５：水抜き時間の経過後、Ｔ７時間（例えば２５秒）だけバルブ４６を開いて水抜き管４７からおむつカップ本体１０までの洗浄水を排出する。
Ｄ−１６：Ｔ８時間（例えば５秒）だけ送風して終了待ちをする。
Ｄ−１７：吸引モータ３１をオフし、運転を終了する。
【先行技術文献】
【特許文献】
【０００８】
【特許文献１】特許第５２５４４９８号公報
【発明の概要】
【発明が解決しようとする課題】
【０００９】
先に提案した特許文献１に記載の発明には、次のような若干の問題があった。
（１）本装置は、ベッドの周りに設置して使用しなければならないが、装置によってベッド周りの占有する空間が大きく、介護の邪魔になることがあった。ちなみに、従来の装置は、高さ×縦幅×横幅が凡そ５５×４０×１０４ｃｍで、その体積は、約０．２３ｍ３であった。
（２）おむつカップから吸引した排便（固形物）と排尿（水分と）は、本装置のタンクの途中で自重で落下させ、仕事風だけをフィルタに送るようにしていたが、この仕事風には、多くの水分が含み、フィルタでの臭気除去が効率よく行われず、フィルタの目詰まりを生じていた。そのため、臭気の分解がうまく行われず、かつ、殺菌用フィルタの交換が頻繁に行われていた。
（３）サクションユニットの振動で騒音が発生し、また、仕事風を循環しているので、サクションモータを通過する度に温度が上昇し、冷却のために装置が大きくならざるを得なかった。
（４）温水タンクからの水漏れが発生しやすく、また、温水タンク内に温度センサを設けて温度の制御をしているが、人体に直接噴射するので、簡便な機構で水温を制御するのが困難であった。
【００１０】
（５）おむつカップを人体に装着し、そのおむつカップの排便、排尿センサに電力を供給しているので、万が一、本体装置側で漏電があると、先浄水を使用することと相俟って、使用者が感電する恐れがあり、また、温水と温風を送るために、もし、過度に温度が上昇すると使用者がやけどをしたり、さらに、低温の洗浄水や風を送ると使用者にショックを与えかねなかった。そのための手段は従来から採られていたが、より完全な安全対策が望まれていた。
（６）排便、排尿の自動運転時に陰部を洗浄するが、排便、排尿にかかわらず、手動で陰部を洗浄する操作が望まれていた。また、排便、排尿、仕事風などが流動するホースを必要に応じて手動で洗浄する操作が望まれていた。
（７）使用者の股間に、おむつカップをおむつで強く締めすぎると、おむつの周りから適度の新鮮な空気が入らなくなり、微風の循環が適正に起こらなくなるので、それを検出する手段が望まれていた。また、おむつカップにおける洗浄水の噴射ノズルの目詰まりを検出する手段が望まれていた。
【００１１】
本発明は、以上のような種々の問題点を改良し、かつ要望を取り入れ、コンパクト化、安全性、使い勝手のよさ等を改善した要介護者用の排泄物処理装置を提供することを目的とする。
【課題を解決するための手段】
【００１２】
本発明は、台車１１６は、細幅で、この台車１１６の上に一方側から他方側に、前記台車１１６と同一かやや細幅の排便分離ユニット１１１の排便タンク１１８とサクションユニット１１３のサクションモータ１５４と温水ユニット１１５の保温タンク１７３を順次配置し、前記排便タンク１１８の上に、排便から空気を分離する水分除去カバー１２０を重ね、前記サクションモータ１５４の上に、消臭ユニット１１２のフィルタ容器１４４を載せ、前記保温タンク１７３の上に、洗浄水補給タンク１７５を重ね、前記台車１１６の内部に冷却ユニット１１４を取り付けて構成する。
前記台車１１６は、縦幅×横幅が１５〜３０ｃｍ×７０〜９０ｃｍとし、装置全体の大きさは、高さ×縦幅×横幅が凡そ５０〜７０×１５〜３０×７０〜９０ｃｍ程度とすることが望ましい。
【００１３】
おむつカップ１１０内に洗浄水を送る温水ユニット１１５と、前記おむつカップ１１０から排便と洗浄水を吸引するサクションユニット１１３と、吸引した排便と洗浄水から空気だけを分離して取り出す排便分離ユニット１１１と、この排便分離ユニット１１１で分離された空気を消臭する消臭ユニット１１２と、この消臭ユニット１１２で消臭された空気を冷却する冷却ユニット１１４とを具備し、前記排便分離ユニット１１１は、吸引した排便と洗浄水を貯留する排便タンク１１８の上に、吸引した排便と洗浄水から水分を除去して空気だけを分離する水分除去カバー１２０を重ね合わせて設ける。
【００１４】
消臭ユニット１１２は、フィルタ交換蓋１４５を有するフィルタ容器１４４に消臭フィルタ１４６を収納し、このフィルタ容器１４４の空気入り口１４８に、排便分離ユニット１１１からの空気の吸引力で開放し、吸引していないときに閉鎖する逆止弁１４７を設け、前記フィルタ容器１４４の内部に殺菌用の紫外線発光器１５１と、フィルタ容器１４４の負圧を検出する負圧センサ１５０を設ける。
【００１５】
サクションユニット１１３は、サクションモータ１５４の上部に吸引フィン部１５５が一体に設けられて外装箱１５３内に収納され、前記サクションモータ１５４は、冷却風を案内する役目を兼用した縦方向にクッション性を有するクッション導風筒１６４に載せられ、前記吸引フィン部１５５の下端周縁部は、外装箱１５３の段差１６２に、クッション１６３を介在して載せられ、前記吸引フィン部１５５の外周縁部には、送風路１５７を有する送風カバー１５８が嵌合され、この送風路１５７は、下座１５９と上カバー１６０が嵌め込まれ、それぞれ金属などの締結バンド１６１で硬く締め付け固定され、この上カバー１６０の中央上部には、吸引口１５６が嵌合され、前記送風路１５７は、下向きの直結管１７２を経て台車１１６内のラジエータ１６９に連結する。
【００１６】
保温タンク１７３は、洗浄水補給タンク１７５の真下に配置し、前記保温タンク１７３と一体の外箱１７４に洗浄水補給タンク１７５を載せると、突起部１７７でバルブ１８０を開き、水は、満水になると、バルブ付きキャップ１７９の下端面が保温タンク１７３内の水で閉じられ、前記保温タンク１７３内の水がなくなるとバルブ１８０が開いて自重で落下補給され、前記洗浄水補給タンク１７５内の水がなくなると、保温タンク１７３内の水位の低下をレベルセンサ１８４で検知して表示部２０７やブザー２１５で知らせるようにする。
【００１７】
本体側外装箱２０１は、台車１１６に固定的に取り付け、排便タンク用外装箱１９９は、台車１１６に着脱自在に取り付け、本体側外装箱２０１側の制御盤２０３から供給される電力は、アイソレータ２１１を介在してワイヤレスで結合し、制御盤２０３等からおむつカップ１１０に直接電力が流れるのを防止して安全性を高める。
【００１８】
おむつカップ１１０と排泄物処理装置の間を流れる仕事風は、サクションユニット１１３から吐出時に設定値を超えないように、ラジエータ１６９に冷却ファン１７０を取り付け、冷却ファン１７０からの外気を導入して冷却する。
【００１９】
おむつカップ１１０から殺菌フィルタ１９３とジョイントボックス１９２とラジエータ１６９と吸引フィン部１５５とフィルタ容器１４４を経て形成される微風流路には、微風ポンプ１５２を設け、この微風ポンプ１５２は、より吸引圧を高くできるものを用いることにより、効率よく吸引し、大気に放出する。
【発明の効果】
【００２０】
請求項１記載の発明によれば、台車１１６は、細幅で、この台車１１６の上に一方側から他方側に、前記台車１１６より同一かやや細幅の排便分離ユニット１１１の排便タンク１１８とサクションユニット１１３のサクションモータ１５４と温水ユニット１１５の保温タンク１７３を順次配置し、前記排便タンク１１８の上に、排便から空気を分離する水分除去カバー１２０を重ね、前記サクションモータ１５４の上に、消臭ユニット１１２のフィルタ容器１４４を載せ、前記保温タンク１７３の上に、洗浄水補給タンク１７５を重ね、前記台車１１６の内部に冷却ユニット１１４を取り付けたので、本装置は、ベッドの周りに設置して使用しても装置によってベッド周りの占有する空間が小さくなり、介護の邪魔になることがない。
【００２１】
請求項２記載の発明によれば、台車１１６は、縦幅×横幅が１５〜３０ｃｍ×７０〜９０ｃｍとし、装置全体の大きさは、高さ×縦幅×横幅が凡そ５０〜７０×１５〜３０×７０〜９０ｃｍ程度としたので、内部の機能を従来と同様に保持しながら容積を半分以下に抑えることができる。
【００２２】
請求項３記載の発明によれば、おむつカップ１１０内に洗浄水を送る温水ユニット１１５と、前記おむつカップ１１０から排便と洗浄水を吸引するサクションユニット１１３と、吸引した排便と洗浄水から空気だけを分離して取り出す排便分離ユニット１１１と、この排便分離ユニット１１１で分離された空気を消臭する消臭ユニット１１２と、この消臭ユニット１１２で消臭された空気を冷却する冷却ユニット１１４とを具備し、前記排便分離ユニット１１１は、吸引した排便と洗浄水を貯留する排便タンク１１８の上に、吸引した排便と洗浄水から水分を除去して空気だけを分離する水分除去カバー１２０を重ね合わせて設けたので、おむつカップ１１０から吸引した排便（固形物）と排尿（水分と）から仕事風だけを分離し、しかも、水分の含有量をほとんどなくし、フィルタでの臭気除去が効率よく行われ、フィルタの目詰まりを生じることが無く、殺菌用フィルタの交換回数を減らすことができる。
【００２３】
請求項４記載の発明によれば、消臭ユニット１１２は、フィルタ交換蓋１４５を有するフィルタ容器１４４に消臭フィルタ１４６を収納し、このフィルタ容器１４４の空気入り口１４８に、排便分離ユニット１１１からの空気の吸引力で開放し、吸引していないときに閉鎖する逆止弁１４７を設け、前記フィルタ容器１４４の内部に殺菌用の紫外線発光器１５１と、フィルタ容器１４４の負圧を検出する負圧センサ１５０を設けたので、フィルタ交換蓋１４５で消臭フィルタ１４６を容易に交換できる。また、紫外線発光器１５１でより効果的に殺菌できる。おむつカップ１１０は、おむつを使用して人体に装着するが、介護する者の個人差によって緩かったりきつかったりする。きつく装着すると、おむつカップ１１０に外気が流入しなくなり、吸引圧力が増大して排泄物処理装置が停止する恐れがある。そこで、フィルタ容器１４４内に負圧センサ１５０を設けて負圧力の値から、適正に装着しているかどうかを監視することができる。
【００２４】
請求項５記載の発明によれば、サクションユニット１１３は、サクションモータ１５４の上部に吸引フィン部１５５が一体に設けられて外装箱１５３内に収納され、前記サクションモータ１５４は、冷却風を案内する役目を兼用した縦方向にクッション性を有するクッション導風筒１６４に載せられ、前記吸引フィン部１５５の下端周縁部は、外装箱１５３の段差１６２に、クッション１６３を介在して載せられ、前記吸引フィン部１５５の外周縁部には、送風路１５７を有する送風カバー１５８が嵌合され、この送風路１５７は、下座１５９と上カバー１６０が嵌め込まれ、それぞれ金属などの締結バンド１６１で硬く締め付け固定され、この上カバー１６０の中央上部には、吸引口１５６が嵌合され、前記送風路１５７は、下向きの直結管１７２を経て台車１１６内のラジエータ１６９に連結されているので、サクションユニットの振動による騒音の発生がほとんどなくなり、また、サクションモータを効率よく冷却することができる。
【００２５】
請求項６記載の発明によれば、保温タンク１７３は、洗浄水補給タンク１７５の真下に配置し、前記保温タンク１７３と一体の外箱１７４に洗浄水補給タンク１７５を載せると、突起部１７７でバルブ１８０を開き、水は、満水になると、バルブ付きキャップ１７９の下端面が保温タンク１７３内の水で閉じられ、前記保温タンク１７３内の水がなくなるとバルブ１８０が開いて自重で落下補給され、前記洗浄水補給タンク１７５内の水がなくなると、保温タンク１７３内の水位の低下をレベルセンサ１８４で検知して表示部２０７やブザー２１５で知らせるようにしたので、温水タンクからの水漏れがなくなり、また、
洗浄水補給タンク１７５自動的に補給される。
【００２６】
請求項７記載の発明によれば、本体側外装箱２０１は、台車１１６に固定的に取り付け、排便タンク用外装箱１９９は、台車１１６に着脱自在に取り付け、本体側外装箱２０１側の制御盤２０３から供給される電力は、アイソレータ２１１を介在してワイヤレスで結合し、制御盤２０３等からおむつカップ１１０に直接電力が流れるのを防止したので、制御盤２０３等からおむつカップ１１０に直接電力が流れるのを防止して使用者が感電する恐れが無くなり、より安全性を高めることができる。
【００２７】
請求項８記載の発明よれば、おむつカップ１１０と排泄物処理装置の間を流れる仕事風は、サクションユニット１１３から吐出時に設定値を超えないように、ラジエータ１６９に冷却ファン１７０を取り付け、冷却ファン１７０からの外気を導入して冷却するようにしたので、サクションユニット１１３で加熱されるようなことがあっても、サクションユニット１１３から吐出する仕事風が設定値（例えば、５０℃）を超えないように制御することができる。
【００２８】
請求項９記載の発明によれば、おむつカップ１１０から殺菌フィルタ１９３とジョイントボックス１９２とラジエータ１６９と吸引フィン部１５５とフィルタ容器１４４を経て形成される微風流路には、微風ポンプ１５２を設け、この微風ポンプ１５２は、より吸引圧を高くできるものを用いることにより、効率よく吸引し、大気に放出するようにしたので、微風流路は、微風ポンプ１５２で吸引すると、おむつカップ１１０から殺菌フィルタ１９３とジョイントボックス１９２とラジエータ１６９と吸引フィン部１５５とフィルタ容器１４４からなる微風流路を経て大気に効率よく吸引できる。この微風流路は、同じ仕事風の流路を逆方向に使用するので、逆止弁１９４と逆止弁１４７により上記微風流路以外に流れることがない。
【図面の簡単な説明】
【００２９】
【図１】本発明による排泄物処理装置の実施例１を示すもので、（ａ）は、縦断面の正面図、（ｂ）は、（ａ）における横断面の平面図である。
【図２】図１における排便分離ユニット１１１を分解し、かつ、一部断面した斜視面である。
【図３】図２における排便タンク１１８と排便導入カバー１１９の連結部分を示すもので、（ａ）は、排便タンク１１８の水位センサ１２２の詳細な断面図、（ｂ）は、排便タンク１１８と排便導入カバー１１９の連結具１２３による連結状態を示す断面図である。
【図４】図１における消臭ユニット１１２の縦断面図である。
【図５】図１における温水ユニット１１５の縦断面図である。
【図６】図１におけるサクションユニット１１３の縦断面図である。
【図７】本発明による排泄物処理装置の実施例１を流体の流れに沿って示したブロック図である。
【図８】図１における操作盤２０４と制御盤２０３等のブロック図である。
【図９】本発明による排泄物処理装置の実施例１における陰部洗浄モードのフローチャートである。
【図１０】本発明による排泄物処理装置の実施例１におけるホース洗浄モードのフローチャートである。
【図１１】特許文献１に示した排泄物処理装置の流体の流れに沿って示したブロック図である。
【図１２】特許文献１に示した排泄物処理装置を示すもので、（ａ）は、分解斜視図、（ｂ）は、蓋体を除いた本体部分の平面図である。
【図１３】特許文献１に示した排泄物処理装置及び方法の全体的な処理運転モードのフローチャートである。
【図１４】図１３における頻尿モード処理運転のフローチャートである。
【図１５】図１３における小モード処理運転のフローチャートである。
【図１６】図１３における大モード処理運転のフローチャートである。
【発明を実施するための形態】
【００３０】
台車１１６は、細幅で、この台車１１６の上に一方側から他方側に、前記台車１１６より同一かやや細幅の排便分離ユニット１１１の排便タンク１１８とサクションユニット１１３のサクションモータ１５４と温水ユニット１１５の保温タンク１７３を順次配置し、前記排便タンク１１８の上に、排便から空気を分離する水分除去カバー１２０を重ね、前記サクションモータ１５４の上に、消臭ユニット１１２のフィルタ容器１４４を載せ、前記保温タンク１７３の上に、洗浄水補給タンク１７５を重ね、前記台車１１６の内部に冷却ユニット１１４を取り付け、前記台車１１６は、縦幅×横幅が１５〜３０ｃｍ×７０〜９０ｃｍとし装置全体の大きさは、高さ×縦幅×横幅が凡そ５０〜７０×１５〜３０×７０〜９０ｃｍ程度とする。
【００３１】
おむつカップ１１０内に洗浄水を送る温水ユニット１１５と、前記おむつカップ１１０から排便と洗浄水を吸引するサクションユニット１１３と、吸引した排便と洗浄水から空気だけを分離して取り出す排便分離ユニット１１１と、この排便分離ユニット１１１で分離された空気を消臭する消臭ユニット１１２と、この消臭ユニット１１２で消臭された空気を冷却する冷却ユニット１１４とを具備し、前記排便分離ユニット１１１は、吸引した排便と洗浄水を貯留する排便タンク１１８の上に、吸引した排便と洗浄水から水分を除去して空気だけを分離する水分除去カバー１２０を重ね合わせて設ける。
【００３２】
消臭ユニット１１２は、フィルタ交換蓋１４５を有するフィルタ容器１４４に消臭フィルタ１４６を収納し、このフィルタ容器１４４の空気入り口１４８に、排便分離ユニット１１１からの空気の吸引力で開放し、吸引していないときに閉鎖する逆止弁１４７を設け、前記フィルタ容器１４４の内部に殺菌用の紫外線発光器１５１と、フィルタ容器１４４の負圧を検出する負圧センサ１５０を設ける。
【００３３】
サクションユニット１１３は、サクションモータ１５４の上部に吸引フィン部１５５が一体に設けられて外装箱１５３内に収納され、前記サクションモータ１５４は、冷却風を案内する役目を兼用した縦方向にクッション性を有するクッション導風筒１６４に載せられ、前記吸引フィン部１５５の下端周縁部は、外装箱１５３の段差１６２に、クッション１６３を介在して載せられ、前記吸引フィン部１５５の外周縁部には、送風路１５７を有する送風カバー１５８が嵌合され、この送風路１５７は、下座１５９と上カバー１６０が嵌め込まれ、それぞれ金属などの締結バンド１６１で硬く締め付け固定され、この上カバー１６０の中央上部には、吸引口１５６が嵌合され、前記送風路１５７は、下向きの直結管１７２を経て台車１１６内のラジエータ１６９に連結する。
【００３４】
保温タンク１７３は、洗浄水補給タンク１７５の真下に配置し、前記保温タンク１７３と一体の外箱１７４に洗浄水補給タンク１７５を載せると、突起部１７７でバルブ１８０を開き、水は、満水になると、バルブ付きキャップ１７９の下端面が保温タンク１７３内の水で閉じられ、前記保温タンク１７３内の水がなくなるとバルブ１８０が開いて自重で落下補給され、前記洗浄水補給タンク１７５内の水がなくなると、保温タンク１７３内の水位の低下をレベルセンサ１８４で検知して表示部２０７やブザー２１５で知らせるようにする。
【００３５】
本体側外装箱２０１は、台車１１６に固定的に取り付け、排便タンク用外装箱１９９は、台車１１６に着脱自在に取り付け、本体側外装箱２０１側の制御盤２０３から供給される電力は、アイソレータ２１１を介在してワイヤレスで結合し、制御盤２０３等からおむつカップ１１０に直接電力が流れるのを防止する。
【００３６】
おむつカップ１１０と排泄物処理装置の間を流れる仕事風は、サクションユニット１１３から吐出時に設定値を超えないように、ラジエータ１６９に冷却ファン１７０を取り付け、冷却ファン１７０からの外気を導入して冷却する。
【００３７】
おむつカップ１１０から殺菌フィルタ１９３とジョイントボックス１９２とラジエータ１６９と吸引フィン部１５５とフィルタ容器１４４を経て形成される微風流路には、微風ポンプ１５２を設け、この微風ポンプ１５２は、より吸引圧を高くできるものを用いることにより、効率よく吸引し、大気に放出する。
【実施例１】
【００３８】
図１及び図２において、本発明による排泄物処理装置の実施例１では、全体形状が高さ×縦幅×横幅が凡そ６１×２０×７８ｃｍとし、その体積は、約０．１ｍ３であるが、この数値は、一例であって、これにこだわるものではない。可能であれば、高さ×縦幅×横幅が凡そ５０〜７０×１５〜３０×７０〜９０ｃｍ程度とする。
本発明の排泄物処理装置は、大別して排便分離ユニット１１１と消臭ユニット１１２とサクションユニット１１３と冷却ユニット１１４と温水ユニット１１５からなり、細幅（たとえば２０×７８ｃｍ）の台車１１６の上に載せられている。
【００３９】
４つの車輪１７１を有する前記台車１１６の上に、横幅で約５：８の割合に分割して、先端側の排便タンク用外装箱１９９に収納された前記排便分離ユニット１１１が着脱自在に載せられ、後端側の本体側外装箱２０１に収納された前記消臭ユニット１１２とサクションユニット１１３と温水ユニット１１５が固定的に載せられ、前記台車１１６の内部に冷却ユニット１１４が収納される。前記排便タンク用外装箱１９９は、底面から突出した嵌合部材２２０が台車１１６の嵌合溝に着脱自在にセットされ、上面には、前記排便分離ユニット１１１の着脱用の蓋体２００が設けられている。前記本体側外装箱２０１は、前記台車１１６に固定的に取り付けられ、上面後方に前記温水ユニット１１５の洗浄水補給タンク１７５の着脱用の蓋体２０２が設けられ、上面前方に操作盤２０４が設けられている。
【００４０】
前記排便分離ユニット１１１は、上端開口した排便タンク外箱１１７に収納され、この排便タンク外箱１１７は、さらに外側の排便タンク用外装箱１９９に収納される。この排便タンク用外装箱１９９には、上面に前記排便分離ユニット１１１の着脱用の蓋体２００が開閉自在に設けられている。
前記排便分離ユニット１１１は、図２に示すように、上端開口した排便タンク１１８と、この排便タンク１１８の上に下底を開口した排便導入カバー１１９が被せられ、この排便導入カバー１１９の上に空気導出板１２１が載せられ、さらにこの空気導出板１２１の上に下面を開口した水分除去カバー１２０が被せられる。
【００４１】
前記排便タンク１１８の内部の上部に図３（ａ）に示すように水位センサ１２２が設けられ、この水位センサ１２２の一部が外側に液密に突出し、前記排便タンク外箱１１７に設けた接触板１２５に接触し、さらに、この接触板１２５は、外側のリード線１２６に接続される。
前記排便タンク１１８の上縁部に図３（ｂ）に示すように、密閉ゴム１２４が設けられ、排便導入カバー１１９のした縁部と密着し、連結具１２３のリング２３ｃを排便導入カバー１１９側の係止具２３aに引っ掛け、つまみ２３bを下側に回転して固定する。この連結具１２３は、左右２箇所に設けられる。
前記排便導入カバー１１９は、下底部が開口しているが、上板は、前記空気導出板１２１と同様に、上面１３２と傾斜面１３３と下面１３１からなり、また、前板部分に排便吸引ホース１３８に連結される排便導入口１２７が設けられ、傾斜面１３３の下端部に衝突板１２８が設けられ、下面１３１に空気吐出口１２９がその外周にゴムなどのパッキンを取り付けて設けられている。
【００４２】
前記排便導入カバー１１９の上面には、前記空気導出板１２１が被せられ、この空気導出板１２１の略中央に仕切り板１３４が設けられ、この仕切り板１３４は、上面１３２の部分でやや隙間を有し、エア通路となっている。また、下面１３１に空気吐出口１２９が設けられ、この空気吐出口１２９に連通する傾斜面１３３には、エアは通過するが水分は通過しない目の細かいフィルタ１３５が設けられている。
この空気導出板１２１には、水分除去カバー１２０が被せられ、この水分除去カバー１２０の後板には、Ｕターンしたエアのための空気吐出口１３６が設けられ、この水分除去カバー１２０の前板の係止孔３０ｂが前記排便導入カバー１１９の係止突起３０ａと係合し、後板の連結具１２３で図３（ｂ）と同様にして連結される。このとき、互いに接する縁部には、前記同様、液密のための密閉ゴム１２４が設けられる。前記水分除去カバー１２０の上面には、排便分離ユニット排便分離ユニット１１１を一体に持ち上げるための持ち手１３７が設けられている。
【００４３】
前記消臭ユニット１１２は、前記本体側外装箱２０１内のサクションユニット１１３の上に連結され、かつ、前記水分除去カバー１２０の側方に位置している。この消臭ユニット１１２は、図１及び図４に示すように、フィルタ容器１４４の側面にフィルタ交換蓋１４５が設けられ、内部の消臭フィルタ１４６を交換可能になっている。また、このフィルタ容器１４４の下方部に、前記水分除去カバー１２０の空気吐出口１３６と接続する空気入り口１４８が設けられ、下面には、前記サクションユニット１１３の吸引口１５６と接続される空気出口１４９が設けられている。さらに、冷却ユニット１１４内には、図７に示すように、空気入り口１４８の入り口側に逆止弁１４７が設けられ、内部に負圧センサ１５０と紫外線発光器１５１が設けられている。
【００４４】
前記サクションユニット１１３は、図６（ａ）に示すように、サクションモータ１５４の上部に吸引フィン部１５５が一体に設けられ、プラスチックなどからなる外装箱１５３内に収納されている。前記サクションモータ１５４は、縦方向にクッション性を有するゴムなどからなるクッション導風筒１６４に載せられ、このクッション導風筒１６４は、台車１１６の吸引口１６８からの冷却風を冷却ファン１６７で吸い上げ案内する役目を兼用している。この冷却風は、外装箱１５３の排気口１６５から外部に放出される。前記吸引フィン部１５５の下端周縁部は、外装箱１５３の段差１６２に、図６（ｂ）に示すような波型に屈曲したクッション１６３を介在して載せられ、また、吸引フィン部１５５の外周縁部には、半円弧状の送風路１５７を有するゴム製の送風カバー１５８が嵌合され、この送風路１５７は、図１（ｂ）に示すように外方に伸びている。この送風路１５７を取り付けた前記吸引フィン部１５５は、下側に下座１５９が、上側に上カバー１６０が嵌め込まれ、それぞれ金属などの締結バンド１６１で硬く締め付け固定されている。この上カバー１６０の中央部の筒状部には、前記吸引口１５６が固定的に嵌合されている。また、この上カバー１６０の上面には、図６（ｂ）に示すようなクッション１６３を介在して上蓋１６６が被せられている。
【００４５】
前記サクションユニット１１３の送風路１５７は、前記外装箱１５３の外側で下向きの直結管１７２を経て台車１１６内のラジエータ１６９に連結され、このラジエータ１６９の出口側は、台車１１６の上面に設けたジョイントボックス１９２に連結されている。前記ラジエータ１６９には、外気を吸引してラジエータ１６９を冷却する冷却ファン１７０が連結されている。
前記ジョイントボックス１９２は、送風温度センサ２１７と過昇温度検知スイッチ２１８が設けられ、このジョイントボックス１９２は、殺菌フィルタ１９３を経て送風ホース１４１と微風ホース１４０により前記おむつカップ１１０に連結される。前記殺菌フィルタ１９３は、逆止弁１９４を介して大気に連通している。
【００４６】
前記温水ユニット１１５は、図１及び図５に示すように、下方部の保温タンク１７３が台車１１６に固定されている。この保温タンク１７３の上方部が幅の広い外箱１７４となっていて、この外箱１７４内に洗浄水補給タンク１７５が着脱自在に収納される。前記保温タンク１７３は、内部に、ヒーター１８３とレベルセンサ１８４と温度センサ１８５が設けられている。この保温タンク１７３は、温水が循環し、できるだけ一定温度になるように下方部を狭く構成されている。
前記洗浄水補給タンク１７５の下端面のねじ付き筒部１７８にバルブ付きキャップ１７９がねじ込み固定される。このバルブ付きキャップ１７９には、内部の筒体がバルブ１８０で閉じられるようにばね１８１で下方に付勢している。前記保温タンク１７３の上端の段部には、台座１７６が載せられ、この台座１７６の中央貫通孔の中心に突起部１７７が設けられており、洗浄水補給タンク１７５を台座１７６の上に載せたとき、前記バルブ１８０を取り付けた軸体がばね１８１に抗して上方向に押し出されてバルブ１８０が開放し、洗浄水補給タンク１７５の先浄水が保温タンク１７３内に落下供給する。
前記保温タンク１７３の側方には、温水管２２１を介して洗浄ポンプ１８６に連結され、さらに、図７に示すように、逆止弁１８２と安全タンク１８８を介して洗浄水ホース１３９によっておむつカップ１１０に連結される。前記洗浄ポンプ１８６には、ポンプ作動電流センサ２１９が設けられ、また、安全タンク１８８には、温度センサ１８９と過昇温度検知スイッチ１９０が設けられている。さらに、前記保温タンク１７３の底部にドレン管２２２が連結され、このドレン管２２２は、ドレインコック１９１を介して水抜きされる。
【００４７】
前記制御盤２０３及び操作盤２０４は、図８に示される。この図８において、操作盤２０４は、スタートスイッチ２０５とリモコンスイッチ２０６と表示部２０７からなる。前記制御盤２０３内の制御部２２３には、ＲＡＭ，ＲＯＭなどのメモリ２０８と外部機器Ｉ／Ｆ２０９が接続され、また、おむつカップ１１０の排便センサ１９７と排尿センサ１９８と水位センサ１２２は、電磁誘導で電力を供給し、赤外線でデータ通信を行うなどのアイソレータ２１１を介在して結合される。また、ＡＣ電源は、ＡＣアダプタ２１２を介して交直変換し、さらに遮断器２１３を介在する。そして、漏電センサ２０４で漏電を検出したときは、遮断器２１３でＡＣ電源から遮断する。
この制御部２２３には、その他に、図８に示すように保温タンク１７３のレベルセンサ１８４と温度センサ１８５、安全タンク１８８の温度センサ１８９と過昇温度検知センサ１９０、送風温度センサ２１７、負圧センサ１５０、ポンプ作動電流センサ２１９、過昇温度検出スイッチ２１８のセンサ信号が入力し、また、紫外線発光器１５１、ブザー２１５、サクションモータ１５４、ヒーター１８３、洗浄ポンプ１８６、冷却ファン１７０、微風ポンプ１５２、水抜き弁１９５、ナースコール２１６の各種の制御機器に駆動信号を出力する。
【００４８】
以上のような構成において、台車１１６の一方側に排便タンク１１８と排便導入カバー１１９と水分除去カバー１２０を３段重ねした排便分離ユニット１１１が載せられ、中央にサクションユニット１１３と消臭ユニット１１２を２段重ねして載せられ、他方端に、保温タンク１７３の上に洗浄水補給タンク１７５を重ね、かつその側方に制御盤２０３を配置して載せられている。
このように、台車１１６の上には、下方部に重量のある排便タンク１１８とサクションモータ１５４と保温タンク１７３を配置し、かつ、台車１１６の内部にラジエータ１６９を配置し、上方部には、水分を除去した空気の通過する水分除去カバー１２０と空気を消臭するフィルタ容器１４４と、洗浄水の使用により次第に軽量になる洗浄水補給タンク１７５を配置することで全体の重心をできるだけ下げて安定感を良くしている。
【００４９】
本発明の機能は、図１３乃至図１６に示した自動処理モードを基本的に具備している。
本発明により改良又は変更した点は、以下の通りである。
（１）排便分離ユニット１１１による排便・排尿と空気との分離
おむつカップ１１０の排便と排尿が洗浄水と共にサクションモータ１５４により排便分離ユニット排便分離ユニット１１１に吸引されると、排便導入カバー１１９内の衝突板１２８に衝突して固形物と水分が排便タンク１１８内に落下する。同時に吸引されてきた水分を含む空気は、空気吐出口１２９から上昇し、ミクロン単位のフィルタ１３５を通過する際に水分が除去され空気だけが仕切り板１３４を回って空気吐出口１３６から吐出される。フィルタ１３５で分離された水分は、上面１３２を流れ落ち空気吐出口１２９から排便タンク１１８に落下する。このように、排便・排尿・水分から空気だけが分離されて消臭ユニット１１２に送られる。
【００５０】
（２）温水ユニット１１５の改良又は変更点
保温タンク１７３は、洗浄水補給タンク１７５の真下に配置した。保温タンク１７３と一体の外箱１７４に洗浄水補給タンク１７５を載せると、突起部１７７でバルブ１８０を開き、水は、満水になると、バルブ付きキャップ１７９の下端面が保温タンク１７３内の水で閉じられる。保温タンク１７３内の水がなくなるとバルブ１８０が開いているので自重で落下して補給される。洗浄水補給タンク１７５内の水がなくなると、保温タンク１７３内の水位の低下をレベルセンサ１８４で検知して表示部２０７やブザー２１５で知らせる。
【００５１】
洗浄ポンプ１８６から送り出された洗浄水は、逆止弁１８２と安全タンク１８８を経ておむつカップ１１０に送り出される。前記逆止弁１８２は、図１１に示した従来の洗浄バルブ４６に代えて使用することにより、コスト削減と省スペースを可能にしている。前記保温タンク１７３内に温度センサ１８５を設けて温度を監視しているが、この保温タンク１７３内は、ヒーター１８３で加温された洗浄水が自然対流しているだけで全体が一定温度とは限らないので、前記安全タンク１８８には、温度センサ１８９を設けることにより、おむつカップ１１０に噴射する洗浄水の直前の温度を再度監視し、適正温度（例えば、３８〜４０℃）になるように制御している。また、安全タンク１８８には、過昇温度検知スイッチ１９０が設けられることにより、洗浄水温度が過度（例えば、４６℃）に上昇したときには、電源を切るなどして本装置を停止し、かつ、表示部２０７やブザー２１５で知らせる。
洗浄ポンプ１８６には、ポンプ作動電流センサ２１９を設けることにより、洗浄ポンプ１８６に流れる作動電流を検知し、この作動電流が設定値を越えたときは、洗浄水ホース１３９の曲がり、おむつカップおむつカップ１１０内の噴射ノズルの詰りなどの過負荷状態であることを表示部２０７に表示して知らせる。
【００５２】
（３）排便タンク用外装箱１９９と本体側外装箱２０１の結合
本体側外装箱２０１は、台車１１６に固定的に取り付け、排便タンク用外装箱１９９は、台車１１６に着脱自在に取り付けた。そのため、本体側外装箱２０１側の制御盤２０３から供給される電力は、図８に示すように、電磁誘導、ホトカプリングなどのアイソレータ２１１を介在し、かつ、１次・２次電気回路間の沿面距離、空間距離を大幅に伸ばしてワイヤレスで結合した。これにより、制御盤２０３等からおむつカップ１１０に直接電力が流れるのを防止して安全性を高めた。
【００５３】
（４）冷却ユニット１１４の改良
おむつカップ１１０と排泄物処理装置の間を流れる仕事風は、循環を繰り返すうちに、特に、サクションユニット１１３で加熱される。このサクションユニット１１３から吐出する仕事風が５０℃を超えないように、ラジエータ１６９に冷却ファン１７０を取り付け、冷却ファン１７０からの外気を導入して冷却し、大気に放出する。
また、本体側外装箱２０１と排便タンク用外装箱１９９との間の送風路と微風路は、ジョイントボックス１９２を介在してワンタッチで結合する。これにより、本体側外装箱２０１と排便タンク用外装箱１９９との接続を確実、かつ、簡便に行うことができる。このジョイントボックス１９２内の送風温度センサ２１７で送風温度を監視し、また、過昇温度検知スイッチ２１８で過度の温度上昇を検知して、電源を切るなどして本装置を停止し、かつ、表示部２０７やブザー２１５で知らせる。
【００５４】
（５）微風流路の改良
微風流路は、図７における点線のように、微風ポンプ１５２で吸引すると、おむつカップ１１０から殺菌フィルタ１９３とジョイントボックス１９２とラジエータ１６９と吸引フィン部１５５とフィルタ容器１４４からなる微風流路を経て大気に放出される。前記微風ポンプ１５２は、より吸引圧を高くできるものを用いることにより、効率よく吸引できる。この微風流路は、同じ仕事風の流路を逆方向に使用するので、逆止弁１９４と逆止弁１４７により上記微風流路以外に流れることがない。
【００５５】
（６）消臭ユニット１１２の改良
消臭ユニット１１２のフィルタ容器１４４にフィルタ交換蓋１４５を設けることにより、消臭フィルタ１４６を容易に交換できるようにしている。また、紫外線発光器１５１を設置することにより、殺菌をする。また、この消臭ユニット１１２で殺菌しても、おむつカップ１１０までの流路で雑菌が付着する恐れがあるので、おむつカップ１１０に送風する直前に殺菌フィルタ１９３を設けて雑菌を除去する。
おむつカップ１１０は、おむつを使用して人体に装着するが、介護する者の個人差によって緩かったりきつかったりする。きつく装着すると、おむつカップ１１０に外気が流入しなくなり、吸引圧力が増大して排泄物処理装置が停止する恐れがある。そこで、フィルタ容器１４４内に負圧センサ１５０を設けて負圧力の値から、適正に装着しているかどうかを監視する。もし、設定値より大きくなると、排泄物処理装置が停止する前に正しく装着するように表示部２０７にて表示する。
【００５６】
（７）洗浄モードの追加
手動による陰部洗浄モード（図９（ａ））
Ｇ−１：表示部２０７を陰部洗浄画面として運転条件を確認する（図９（ｂ））。
Ｇ−２：運転条件が成立しなかったら元に戻り、成立したら次に進む。Ｇ−３：おむつカップ１１０を接続していなかったら元に戻り、接続していたら次に進む。
Ｇ−４：表示部２０７の陰部洗浄スイッチをＯＮ又はＯＦＦし、ＯＮしたら陰部洗浄モードに進む。
Ｇ−５：サクションモータ１５４をＯＮする。
Ｇ−６：洗浄ポンプ１８６をＯＮする。
Ｇ−７：設定時間（例えば最大１０秒）洗浄する。
Ｇ−８：設定時間が経過したら終了する。
Ｇ−９：Ｇ−４で表示部２０７の陰部洗浄スイッチをＯＦＦしたら、水抜きスイッチをＯＮ又はＯＦＦする。
Ｇ−１０：Ｇ−９で水抜きスイッチをＯＦＦしたらサクションモータ１５４をＯＦＦし、次に進む。
Ｇ−１１：洗浄ポンプ１８６をＯＦＦする。
Ｇ−１２：水抜き弁１９５をＯＦＦし、Ｇ−１に戻る。
Ｇ−１３：Ｇ−９で水抜きスイッチをＯＮしたらサクションモータ１５４をＯＮし、次に進む。
Ｇ−１４：水抜き弁１９５をＯＮする。
Ｇ−１５：設定時間（例えば最大３０秒）水抜きする。
Ｇ−８：設定時間が経過したら終了する。
【００５７】
運転条件確認モード（図９（ｂ））
Ｈ−１：洗浄水の残水を確認する。ＯＫなら次に進む。
Ｈ−２：保温温度適正かがＯＫなら次に進む。
Ｈ−３：排便タンク１１８を接続したかがＯＫなら次に進む。
Ｈ−４：洗浄水満水かがＯＫなら次に進む。
Ｈ−５：運転条件ＯＫとなる。
Ｈ−６：Ｈ−１，Ｈ−２，Ｈ−３，Ｈ−４のいずれかがＮＧなら運転条件ＮＧとなる。
【００５８】
（ｂ）手動によるホース洗浄モード（図１０（ａ））
Ｉ−１：運転条件を確認する（図１０（ｂ））。
Ｉ−２：運転条件ＯＫなら次に進む。ＮＧなら元に戻る。
Ｉ−３：運転条件ＯＫなら、ホース洗浄スイッチをＯＮ又はＯＦＦする。
Ｉ−４：ホース洗浄スイッチをＯＦＦしたら、停止スイッチをＯＦＦ又はＯＮする。ＯＦＦなら元に戻る。
Ｉ−５：停止スイッチをＯＮしたら、ホース洗浄停止し、元に戻る。
Ｉ−６：Ｉ−３でホース洗浄スイッチをＯＮなら、ホース洗浄スタートし、元に戻る。
【００５９】
運転条件確認モード（図１０（ｂ））
Ｊ−１：洗浄水の残水を確認する。ＯＫなら次に進む。
Ｊ−２：保温温度適正かがＯＫなら次に進む。
Ｊ−３：排便タンク１１８を接続したかがＯＫなら次に進む。
Ｊ−４：洗浄水満水かがＯＫなら次に進む。
Ｊ−５：運転条件ＯＫとなる。
Ｊ−６：Ｊ−１，Ｊ−２，Ｊ−３，Ｊ−４のいずれかがＮＧなら運転条件ＮＧとなる。
【００６０】
ホース洗浄スタート（図１０（ｃ））
Ｋ−１：サクションモータ１５４をＯＮする。
Ｋ−２：洗浄ポンプ１８６をＯＮする。
Ｋ−３：洗浄時間経過したかがＮＯならＹＥＳになるまで待機する。
Ｋ−４：洗浄時間経過したかがＹＥＳなら、洗浄ポンプ１８６をＯＦＦする。
Ｋ−５：水抜き待ち時間到達したかがＮＯならＹＥＳになるまで待機する。
Ｋ−６：水抜き待ち時間到達したかがＹＥＳなら水抜き弁１９５をＯＮする。
Ｋ−７：水抜き時間到達したかがＮＯならＹＥＳになるまで待機する。
Ｋ−８：水抜き時間到達したかがＹＥＳなら水抜き弁１９５をＯＦＦする。
Ｋ−９：サイクル作動時間したかがＮＯならＹＥＳになるまで待機する。
Ｋ−１０：サイクル作動時間したかがＹＥＳならサクションモータ１５４をＯＦＦする。
Ｋ−１１：ホース洗浄停止を終了する。
【００６１】
ホース洗浄停止スタート（図１０（ｄ））
Ｌ−温水ユニット１サクションモータ１５４をＯＦＦする。
Ｌ−２：洗浄ポンプ１８６をＯＦＦする。
Ｌ−３：水抜き弁１９５をＯＦＦする。
Ｌ−４：ホース洗浄停止を終了する。
【符号の説明】
【００６２】
１１０…おむつカップ、１１１…排便分離ユニット、１１２…消臭ユニット、１１３…サクションユニット、１１４…冷却ユニット、１１５…温水ユニット、１１６…台車、１１７…排便タンク外箱、１１８…排便タンク、１１９…排便導入カバー、１２０…水分除去カバー、１２１…空気導出板、１２２…水位センサ、１２３…連結具、１２４…密閉ゴム、１２５…接触板、１２６…リード線、１２７…排便導入口、１２８…衝突板、１２９…空気吐出口、１３１…下面、１３２…上面、１３３…傾斜面、１３４…仕切り板、１３５…フィルタ、１３６…空気吐出口、１３７…持ち手、１３８…排便吸引ホース、１３９…洗浄水ホース、１４０…微風ホース、１４１…送風ホース、１４２…リード線、１４３…ワンタッチコネクタ、１４４…フィルタ容器、１４５…フィルタ交換蓋、１４６…消臭フィルタ、１４７…逆止弁、１４８…空気入り口、１４９…空気出口、１５０…負圧センサ、１５１…紫外線発光器、１５２…微風ポンプ、１５３…外装箱、１５４…サクションモータ、１５５…吸引フィン部、１５６…吸引口、１５７…送風路、１５８…送風カバー、１５９…下座、１６０…上カバー、１６１…締結バンド、１６２…段差、１６３…クッション、１６４…クッション導風筒、１６５…排気口、１６６…上蓋、１６７…冷却ファン、１６８…吸引口、１６９…ラジエータ、１７０…冷却ファン、１７１…車輪、１７２…直結管、１７３…保温タンク、１７４…外箱、１７５…洗浄水補給タンク、１７６…台座、１７７…突起部、１７８…ねじ付き筒部、１７９…バルブ付きキャップ、１８０…バルブ、１８１…ばね、１８２…軸部、１８３…ヒーター、１８４…レベルセンサ、１８５…温度センサ、１８６…洗浄ポンプ、１８２…逆止弁、１８８…安全タンク、１８９…温度センサ、１９０…過昇温度検知スイッチ、１９１…ドレインコック、１９２…ジョイントボックス、１９３…殺菌フィルタ、１９４…逆止弁、１９５…水抜き弁、１９６…持ち手、１９７…排便センサ、１９８…排尿センサ、１９９…排便タンク用外装箱、２００…蓋体、２０１…本体側外装箱、２０２…蓋体、２０３…制御盤、２０４…操作盤、２０５…スタートスイッチ、２０６…リモコンスイッチ、２０７…表示部、２０８…メモリ、２０９…外部機器Ｉ／Ｆ、２１０…制御部、２１１…アイソレータ、２１２…ＡＣアダプタ、２１３…遮断器、２１４…漏電センサ、２１５…ブザー、２１６…ナースコール、２１７…送風温度センサ、２１８…過昇温度検知スイッチ、２１９…ポンプ作動電流センサ、２２０…嵌合部材、２２１…温水管、２２２…ドレン管、２２３…制御部。
【図１】
2017070400.tif 000003
【図２】
2017070400.tif 000004
【図３】
2017070400.tif 000005
【図４】
2017070400.tif 000006
【図５】
2017070400.tif 000007
【図６】
2017070400.tif 000008
【図７】
2017070400.tif 000009
【図８】
2017070400.tif 000010
【図９】
2017070400.tif 000011
【図１０】
2017070400.tif 000012
【図１１】
2017070400.tif 000013
【図１２】
2017070400.tif 000014
【図１３】
2017070400.tif 000015
【図１４】
2017070400.tif 000016
【図１５】
2017070400.tif 000017
【図１６】
2017070400.tif 000018